(57)【特許請求の範囲】
【請求項１】
既存の建物の既設のアルミサッシ窓ガラスの内側の部分に、一対の縦枠と一対の横枠とからなるからなる枠が設けられ、該枠の前記両横枠の内側には上レール及び下レールがそれぞれ固定され、
前記下レールの一端部と前記縦枠との間に、前記下レールに沿って移動して前記下レールの長さを調整するツインレール付設器を設け、
前記上レールと前記下レールとの間に、一対の縦枠と一対の横枠とからなる枠と、該枠の内側に設けられる中空構造パネルとからなる空気層パネルを、前記上下レールに沿ってスライド可能に設け、
前記空気層パネルと前記アルミサッシ窓ガラスとの間に空気層を形成したことを特徴とする断熱防音システム。
【請求項２】
既存の建物の既設のアルミサッシ窓ガラスの内側の部分に、一対の縦枠と一対の横枠とからなるからなる枠が設けられ、該枠の前記両横枠の内側には上レール及び下レールがそれぞれ固定され、
前記下レールの一端部と前記縦枠との間に、前記下レールに沿って移動して前記下レールの長さを調整するツインレール付設器を設け、
前記上レールと前記下レールとの間に、一対の縦枠と一対の横枠とからなる枠と、該枠の内側に設けられる中空構造パネルとからなる空気層パネルを、前記上下レールに沿ってスライド可能に設け、
前記空気層パネルと前記アルミサッシ窓ガラスとの間に空気層を形成し、
前記アルミサッシ窓ガラスの外側の部分に、一対の縦枠と一対の横枠とからなる枠と、該枠の内側に設けられる採光性を有する中空構造パネルとからなる採光型空気層パネルを設けて、該採光型空気層パネルと前記アルミサッシ窓ガラスとの間に空気層を形成したことを特徴とする断熱防音システム。
【請求項３】
前記採光型空気層パネルは、前記アルミサッシ窓ガラスの外側の部分に設けられる既設の雨戸の枠の内側に前記中空構造パネルを固定し、さらに該中空構造パネルの外側に採光性を有する防犯ガード材を固定して構成したものであることを特徴とする請求項２に記載の断熱防音システム。
【請求項４】
前記中空構造パネルは、ポリカーボネートからなることを特徴とする請求項１から３の何れかに記載の断熱防音システム。
【発明の詳細な説明】
【０００１】
【発明の属する技術分野】
本発明は、既存の建物の窓の部分に適用され、既存の建物の断熱性、防音性を高めるのに有効な断熱防音システムに関する。
【０００２】
【従来の技術】
日本の家屋においては、戸建て住宅及び集合住宅の別を問わず、和室用の内戸として障子が設けられることが多い。また、建物の内外を隔絶するサッシの外側に、風雨からの保護や防犯を目的として雨戸を取り付けることが多い。一般に、障子は、木枠及び桟に障子紙を貼り付けたものであり、サッシは、アルミ製の枠内にガラスを取り付けたものであり、雨戸はスチール製である。
【０００３】
【発明が解決しようとする課題】
ところで、従来の障子にあっては、断熱効果が不十分であるし、障子紙が、紫外線を受けて色替わりしやすく（いわゆる“やけ”）、また破れやすいといった欠点があるほか、木枠及び桟の双方に貼り付けられているために、湿気によってしわが寄りやすいといった欠点がある。
【０００４】
また、従来の多くのアルミサッシ窓は、単層板ガラスからなり、その材質上、熱遮蔽が不十分であり、日射熱を透過し保温性に欠けるため、天井、床、壁に断熱材が施されていたとしても、冷暖房エネルギーの約半分以上がここで浪費されるという欠点がある。
【０００５】
さらに、従来のスチール製雨戸は、断熱効果が不十分であるといった欠点があるほか、採光性がなく日中使用することができないため、起床時及び就寝時には、窓の壁体外側に設けられた戸袋内に雨戸を出し入れしなければならないといった欠点があった。
【０００６】
さらにまた、これらの障子、サッシ、雨戸等は、遮音性、防音性、耐候性、耐衝撃性、耐久性、消化性、防犯性、超軽量性が不十分であるという問題もある。
【０００７】
これらの課題は、二枚のガラス板間に空気層を形成した二重サッシを採用することにより解決し得るが、既設のサッシを二重にするには手間とコストがかかるといった課題がある。
【０００８】
本発明は、上記のような従来の問題に鑑みなされたものであって、建物の断熱性及び防音性を高めることにより、省エネルギー化及び快適性を高めることができる断熱防音システムを提供することを目的とする。
【０００９】
【課題を解決するための手段】
上記のような課題を解決するために、本発明の請求項１に係る発明は、既存の建物の既設のアルミサッシ窓ガラスの内側の部分に、一対の縦枠と一対の横枠とからなるからなる枠が設けられ、該枠の前記両横枠の内側には上レール及び下レールがそれぞれ固定され、
前記下レールの一端部と前記縦枠との間に、前記下レールに沿って移動して前記下レールの長さを調整するツインレール付設器を設け、前記上レールと前記下レールとの間に、一対の縦枠と一対の横枠とからなる枠と、該枠の内側に設けられる中空構造パネルとからなる空気層パネルを、前記上下レールに沿ってスライド可能に設け、前記空気層パネルと前記アルミサッシ窓ガラスとの間に空気層を形成したことを特徴とする。
【００１０】
本発明による断熱防音システムによれば、空気層パネルの中空構造パネル内に形成される空気層と、空気層パネルとアルミサッシ窓ガラスとの間に形成される空気層とによる二重空気層システムを構成することができるので、既存の建物の断熱性及び防音性を高めることができる。
また、ツインレール付設器により下レールの長さを調整できるので、空気層パネルの枠をスライド可能に支持する枠として市販のものを採用した場合等に、下レールの長さを調整することにより、下レールに汎用性を持たせることができる。
【００１１】
また、本発明の請求項２に係る発明は、既存の建物の既設のアルミサッシ窓ガラスの内側の部分に、一対の縦枠と一対の横枠とからなるからなる枠が設けられ、該枠の前記両横枠の内側には上レール及び下レールがそれぞれ固定され、前記下レールの一端部と前記縦枠との間に、前記下レールに沿って移動して前記下レールの長さを調整するツインレール付設器を設け、前記上レールと前記下レールとの間に、一対の縦枠と一対の横枠とからなる枠と、該枠の内側に設けられる中空構造パネルとからなる空気層パネルを、前記上下レールに沿ってスライド可能に設け、前記空気層パネルと前記アルミサッシ窓ガラスとの間に空気層を形成し、前記アルミサッシ窓ガラスの外側の部分に、一対の縦枠と一対の横枠とからなる枠と、該枠の内側に設けられる採光性を有する中空構造パネルとからなる採光型空気層パネルを設けて、該採光型空気層パネルと前記アルミサッシ窓ガラスとの間に空気層を形成したことを特徴とする。
【００１２】
本発明による断熱防音システムによれば、空気層パネルの中空構造パネル内に形成される空気層と、空気層パネルとアルミサッシ窓ガラスとの間に形成される空気層とによる二重空気層システムを構成することができるとともに、採光型空気層パネルの中空構造パネル内に形成される空気層と、採光型空気層パネルとアルミサッシ窓ガラスとの間に形成される空気層とによる二重空気層システムを構成することができ、これら二つの二重空気層システムにより、既存の建物の断熱性及び防音性を高めることができる。
また、ツインレール付設器により下レールの長さを調整できるので、空気層パネルの枠をスライド可能に支持する枠として市販のものを採用した場合等に、下レールの長さを調整することにより、下レールに汎用性を持たせることができる。
【００１３】
さらに、本発明の請求項３に係る発明は、請求項１又は２に記載の断熱防音システムであって、前記採光型空気層パネルは、前記アルミサッシ窓ガラスの外側の部分に設けられる既設の雨戸の枠の内側に前記中空構造パネルを固定し、さらに該中空構造パネルの外側に採光性を有する防犯ガード材を固定して構成したものであることを特徴とする。
【００１４】
本発明による断熱防音システムによれば、既設の雨戸に中空構造パネルによる空気層を形成することができ、この雨戸に形成した空気層と雨戸とアルミサッシ窓ガラスとの間に形成した空気層とにより、既存の建物の断熱性及び防音性を高めることができる。
【００１５】
さらに、本発明の請求項４に係る発明は、請求項１から３の何れかに記載の断熱防音システムであって、前記中空構造パネルは、ポリカーボネートからなることを特徴とする。
【００１６】
本発明による断熱防音システムによれば、中空構造パネルをポリカーボネートで形成することにより、中空構造パネルの機械的強度、透光性、及び難燃性を高めることができる。
【００２１】
【発明の実施の形態】
以下、本発明による断熱防音システムの一実施の形態について説明する。
図１及び図２には、本発明による断熱防音システムの一実施の形態が示されていて、図１は断熱防音システムに用いる中空構造パネルの一例を示した部分拡大斜視図、図２は断熱防音システムの全体を示した説明図である。
【００２２】
すなわち、この断熱防音システムは、既存の建物の断熱性及び防音性を高めるのに有効なものであって、図２に示す建物４０の右側の部分に、既設のアルミサッシ窓ガラス４１の内側の部分に空気層パネル４２を配置し、この空気層パネル４２とアルミサッシ窓ガラス４１との間に所定幅の空気層４４を形成することにより構成した二重空気層システムと、建物４０の左側の部分に、アルミサッシ窓ガラス４１の内側の部分に空気層パネル４２を配置し、この空気層パネル４２とアルミサッシ窓ガラス４１との間に所定幅の空気層４４を形成することにより構成した二重空気層システムと、建物４０の左側の部分に、アルミサッシ窓ガラス４１の外側の部分に採光型空気層パネル４３を配置し、この採光型空気層パネル４３とアルミサッシ窓ガラス４１との間に所定幅の空気層４４を形成することにより構成した二重空気層システムとを備えている。
そして、このような二重空気層システムにより、室内外温度差遮蔽による熱貫流率を小さくすることができ、冷暖房負荷を約半分に減少させることができ、冷暖房エネルギーを大幅に節減できるとともに、防音性を高めることもできる。
【００２３】
図２に示す建物４０の右側の部分、及び左側の部分にそれぞれ配置される空気層パネル４２は、図３〜図７に示すように、角環状の枠２と、枠２の内側に装着される長方形板状の中空構造パネル１とから構成されている。枠２は、所定の間隔をおいて平行に設けられる一対の縦枠３、３と、両縦枠３、３の上下端間を連結する一対の横枠７、９とから構成され、縦枠３の側面に旋錠１１及びその付属品（図示せず）が取り付けられている。
【００２４】
中空構造パネル１は、図１に示すように、二枚の薄板４、４間に複数のリブ５を所定の間隔ごとに、かつ隣接するもの同士が互いに平行となるように設けて、両薄板４、４と複数のリブ５とを一体化することにより長方形板状に形成したものであって、両薄板４、４と隣接するリブ５、５とによって囲まれる部分にそれぞれ空気層６が形成されている。空気層６は、図１に示すように、上下端が開口している。中空構造パネル１の厚みは、特に限定されるものではなく、例えば、１〜１５ｍｍ程度とすることができる。本実施の形態においては、中空構造パネル１に４〜６ｍｍ程度の厚みのものを使用している。
【００２５】
中空構造パネル１は、熱可塑性樹脂を成形材料として押出成形法等により長方形板状に形成される。熱可塑性樹脂としては、例えば、ポリプロピレン、ポリエチレン、塩化ビニル樹脂、ポリスチレン、ＡＢＳ樹脂、ポリカーボネート、ポリメタクリル酸メチル、発泡ポリスチレン等が挙げられる。中空構造パネル１としては、例えば、旭硝子社製のツインカーボ（登録商標）が有効である。
【００２６】
中空構造パネル１は、耐水性および透光性に富み、また、圧縮強度等の機械的強度に優れ、特に空気層６による中空構造により断熱性に優れている。特に、ポリカーボネートで形成した場合には、透光性が高く、また、割れにくく、かつ燃えにくい素材であるので、本実施の形態による断熱防音システムを構成するのに有効である。また、中空構造パネル１は、それ自体、ある程度の紫外線をカットする機能を有しているので、人肌、室内の調度品、カーテン、畳、壁、掛け軸、障子等を保護するのに好適であり、ＵＶカット膜加工をさらに施すことにより、その機能を更に高めることができる。
【００２７】
空気層パネル４２は、建物４０のアルミサッシ窓ガラス４１の内側に配置される既設の障子１３、インナーサッシ２９等に適用することができる。空気層パネル４２を障子１３に適用した例を図８〜図１３に示す。
【００２８】
すなわち、この障子１３は、所定の間隔をおいて平行に設けられる一対の縦枠１５Ａ、１５Ａ、及び両縦枠１５Ａ、１５Ａの上下端に連結される一対の横枠１５Ｂ、１５Ｂからなる角環状の木枠１４と、木枠１４の縦枠１５Ａ、１５Ａ間に、上下方向に所定の間隔ごとに水平に、かつ隣接するもの同士が互いに平行をなすように連結される複数の横桟１５Ｄ、横枠１５Ｂ、１５Ｂ間に、水平方向に所定の間隔ごとに垂直に、かつ隣接するもの同士が互いに平行をなすように連結される複数の縦桟１５Ｃからなる格子状の桟１６とからなる障子本体１５と、障子本体１５の裏面側（室内側）に設けられる障子紙１７と、障子本体１５の表面側（室外側）に設けられる中空構造パネル１とを備えている。
【００２９】
木枠１４及び桟１６の材質は、特に限定されるものではなく、樹脂、金属、木製等とすることができる。中空構造パネル１は、透明、半透明等の無色のポリカーボネート製とすることが好ましい。但し、透光性を有するものであれば、有色、スモーク状等としてもよい。
【００３０】
中空構造パネル１は、障子本体１５の内面側に障子紙１７を配置し、この状態で障子本体１５の木枠１４の内周縁部に中空構造パネル１の外周縁部を両面テープ１９Ａ及びビスに１９Ｂより固定することにより、障子本体１５に一体に取り付けられる。この場合、障子紙１７は、障子本体１５の桟１６と中空構造パネル１との間で挟持されることになるので、障子紙１７を木枠１４、桟１６、及び中空構造パネル１に接着する必要はない。
【００３１】
このように、障子１３に空気層パネル１６を適用することにより、アルミサッシ窓ガラス４１と障子１３との間に所定幅の空気層４４を形成することができ、この空気層４４と障子１３の中空構造パネル１の内部の空気層６とにより二重空気層システムを構成することができ、この二重空気層システムにより建物４０の断熱性、防音性を高めることができる。
【００３２】
障子１３の障子紙１７の外側に中空構造パネル１を配置しているので、障子紙１７を破れにくくすることができるとともに、障子紙１７が受ける紫外線の量を軽減することができ、障子紙１７の変色を防止できる。また、障子紙１７は、桟１６と中空構造パネル１との間で挟持されているだけなので、湿気により障子紙１７に延びが生じても、その延びが抑えられるようなことはなく、障子紙１７にしわが寄るのを防止できる。特に、異種の材料である木製の木枠１４と熱可塑性樹脂製の中空構造パネル１とを組み合わせることにより、湿気により障子１３全体が収縮するのを抑えることができ、保形機能を確保することができる。
【００３３】
次に、空気層パネル４２をインナーサッシ２９に適用した例を図２０〜図２５に示す。
すなわち、このインナーサッシ２９は、アルミ製、木製、又は合成樹脂製（本実施の形態ではアルミ製）であって、所定の間隔をおいて平行に設けられる一対の縦枠３１Ａ、３１Ａ、及び両縦枠３１Ａ、３１Ａの上下端間に連結される一対の横枠３１Ｂ、３１Ｂからなる角環状の枠３１と、両縦枠３１Ａ、３１Ａの内側に固定されるアルミ等からなる隙間調整用のチャンネル材３３、３３と、両横枠３１Ｂ、３１Ｂの内側に固定される上レール３５Ａ及び下レール３５Ｂと、上レール３５Ａと下レール３５Ｂとの間に両レール３５Ａ、３５Ｂに沿ってスライド可能に設けられる中空構造パネル１とを備えている。なお、上レール３５Ａ及び下レール３５Ｂは、それぞれ２本の溝を有している。枠３１としては、市販のものを使用することができる。
【００３４】
下レール３５Ｂの室内側の端部には、室内側の溝部分にツインレール付設器３７が設けられている。ツインレール付設器３７は、伸延ツマミ３９を有し、この伸延ツマミ３９を回転させることにより、その回転量に応じて付設器本体３７ａが下レール３５Ｂに沿って移動する。このため、横枠３１Ｂ上に下レール３５Ｂを設置した後、伸延ツマミ３９を回転させることにより、付設器本体３７ａの端部に設けられたゴムパッキン３７ｂを縦枠３１Ａに押し付け、下レール３５Ｂの他端と付設器本体３７ａとで縦枠３１Ａ、３１Ａ間を突っ張ることにより、下レール３５Ｂを枠３１に固定することができる。このように、ツインレール付設器３７は、レールの長さ調整機能（アジャスタ機能）を有することにより、枠３１として市販のものを採用した場合等に、下レール３５Ｂに汎用性を持たせることができる。枠３１は、通常のガラスサッシと共通のものであってもよいし、既存のガラスサッシの内側に新たに取り付ける場合には、別体であってもよい。
【００３５】
このように、インナーサッシ２９に空気層パネル４２を適用することにより、アルミサッシ窓ガラス４１とインナーサッシ２９との間に所定幅の空気層４４を形成することができ、この空気層４４とインナーサッシ２９の中空構造パネル１の内部の空気層６とにより二重空気層システムを構成することができ、この二重空気層システムにより建物４０の断熱性、防音性を高めることができる。
【００３６】
採光型空気層パネル４３は、建物４０のアルミサッシ窓ガラス４１の外側に配置される既設の雨戸２０に適用することができる。採光型空気層パネル４３を雨戸２０に適用した例を図１４〜図１９に示す。
【００３７】
すなわち、この雨戸２０は、アルミ製、木製又は合成樹脂製（本実施の形態ではアルミ製）の角環状の枠２１と、枠２１の内側の部分に周縁部が固定される中空構造パネル１と、中空構造パネル１の外側に配置される防犯ガード材２３とを備えている。
【００３８】
防犯ガード材２３は、例えば１ｍｍ程度の厚みのステンメタルパンチ等から構成される。中空構造パネル１と防犯ガイド材２３とは、図１９に示すように、リベット２５により固定されている。なお、雨戸２０の室内側の下部には、雨戸錠２７が取り付けられている。
【００３９】
中空構造パネル１は、障子１３と同様に、透明、半透明等の無色のポリカーボネート製とすることが好ましい。但し、透光性を有するものであれば、有色、スモーク状等としてもよい。
【００４０】
雨戸２０は、風雨からの保護や防犯のために、窓の外側に収納、引き出し自在に配置されるが、透光性を有するポリカーボネート製の中空構造パネル１を用いることにより、雨戸２０を閉めた状態でも、ガラス窓と同様に採光が可能となり、外部の様子を室内から見通すことが可能となる。また、雨戸２０は、透光性を有する中空構造パネル１で雨戸本体を構成し、中空構造パネル１を木製、アルミ製等の枠２１に取り付け、この枠２１を既存の雨戸レールに対応させればよいので、既存の住宅等に容易に後付けすることが可能となる。
【００４１】
このように、雨戸２０に遮光型空気層パネル４３を適用することにより、アルミサッシ窓ガラス４１と雨戸２０との間に所定幅の空気層４４を形成することができ、この空気層４４と雨戸２０の中空構造パネル１の内部の空気層６とにより二重空気層システムを構成することができ、この二重空気層システムにより建物４０の断熱性、防音性を高めることができる。
【００４２】
また、透光性を有する中空構造パネル１で雨戸本体を構成することにより、雨戸２０を閉めた状態でも建物４０内から建物４０外を見通すことが可能となる。さらに、雨戸２０の外面側に軽量、高強度、難燃性の防犯ガード材２３を設けているので、防犯性を高めることができる。
【００４３】
なお、前述した各中空構造パネル１の片面あるいは両面に、文字、図形等を描くことにより、室内のインテリア、室外のエクステリア、又は広告媒体として活用してもよい。
【００４４】
【発明の効果】
以上、説明したように、本発明の断熱防音システムによれば、既存の建物の断熱性及び防音性を高めることができるので、省エネルギー化及び快適性を大幅に向上させることができる。また、ツインレール付設器により下レールの長さを調整できるので、空気層パネルの枠をスライド可能に支持する枠として市販のものを採用した場合等に、下レールの長さを調整することにより、下レールに汎用性を持たせることができる。
【図面の簡単な説明】
【図１】  本発明による断熱防音システムに用いられる中空構造パネルの一例を示した部分拡大斜視図である。
【図２】  本発明による断熱防音システムの一実施の形態を示した説明図である。
【図３】  断熱防音システムの空気層パネルを内側から見た斜視図である。
【図４】  図３の空気層パネルを外側から見た斜視図である。
【図５】  図３の正面である。
【図６】  図５の側面図である。
【図７】  図５の平面図である。
【図８】  空気層パネルを障子に適用した例を示した斜視図であって、室外側から見た斜視図である。
【図９】  図８の障子を室内側から見た斜視図である。
【図１０】  図９の正面図である。
【図１１】  図９の側面図である。
【図１２】 図９の平面図である。
【図１３】  図１０のＩ−Ｉ線断面図である。
【図１４】  採光型空気層パネルを雨戸に適用した例を示した正面図である。
【図１５】  図１４の平面図である。
【図１６】  図１４の側面図である。
【図１７】  図１４の雨戸を室内側から見た斜視図である。
【図１８】  図１７の側断面である。
【図１９】  図１７の平断面図である。
【図２０】  空気層パネルをインナーサッシに適用した例を示した斜視図であって、室内側から見た斜視図である。
【図２１】  図２０の正面図である。
【図２２】  図２１の平面図である。
【図２３】  図２１の側面図である。
【図２４】  図２０のツインレール付設器の詳細を示した正面図である。
【図２５】  図２４の平面図である。
【符号の説明】
１    中空構造パネル
２    枠
３    縦枠
４    薄板
５    リブ
６    空気層
７    横枠（上側）
９    横枠（下側）
１１  旋錠
１３  障子
１４  木枠
１５  障子本体
１５Ａ  縦枠
１５Ｂ  横枠
１５Ｃ  縦桟
１５Ｄ  横桟
１６  桟
１７  障子紙
１９Ａ  両面テープ
１９Ｂ  ビス
２０  雨戸
２１  枠
２３  防犯ガード材
２５  リベット
２７  雨戸錠
２９  インナーサッシ
３１  枠
３１Ａ  縦枠
３１Ｂ  横枠
３３  チャンネル材
３５Ａ  上レール
３５Ｂ  下レール
３７  ツインレール付設器
３７ａ  付設器本体
３７ｂ  ゴムパッキン
３９  伸延ツマミ
４０  建物
４１  アルミサッシ窓ガラス
４２  空気層パネル
４３  採光型空気層パネル
４４  空気層
【図１】
0003747315.tif 000002
【図２】
0003747315.tif 000003
【図３】
0003747315.tif 000004
【図４】
0003747315.tif 000005
【図５】
0003747315.tif 000006
【図６】
0003747315.tif 000007
【図７】
0003747315.tif 000008
【図８】
0003747315.tif 000009
【図９】
0003747315.tif 000010
【図１０】
0003747315.tif 000011
【図１１】
0003747315.tif 000012
【図１２】
0003747315.tif 000013
【図１３】
0003747315.tif 000014
【図１４】
0003747315.tif 000015
【図１５】
0003747315.tif 000016
【図１６】
0003747315.tif 000017
【図１７】
0003747315.tif 000018
【図１８】
0003747315.tif 000019
【図１９】
0003747315.tif 000020
【図２０】
0003747315.tif 000021
【図２１】
0003747315.tif 000022
【図２２】
0003747315.tif 000023
【図２３】
0003747315.tif 000024
【図２４】
0003747315.tif 000025
【図２５】
0003747315.tif 000026